(57)【要約】【課題】保護フィルムを捲って剥離するときに剥離帯電が生じたとしても、それによって異常点灯が生じないようにして、表示パネルの外観検査時間を短縮する。【解決手段】表示パネル１に貼着されているフィルム材７の剥離時に発生する静電気による異常点灯を防止する表示パネルの異常点灯防止装置で、表示パネル１が載置されるパネル載置台１０と、パネル載置台１０に載置されている表示パネル１の端子部４に対して進退可能な移動台２０とを備え、移動台２０に、端子部４に形成されている複数の電極端子に直接もしくは電極端子に取り付けられている端子ピン９を介して接触して、複数の電極端子を同電位とする弾性を有する導電接触手段２４を設ける。【選択図】図１
2009058710.tif 000002
【特許請求の範囲】
【請求項１】
表示パネルに貼着されているフィルム材の剥離時に発生する静電気による異常点灯を防止する表示パネルの異常点灯防止装置であって、
上記表示パネルが載置されるパネル載置台と、上記パネル載置台に載置されている上記表示パネルの端子部に対して進退可能な移動台とを備え、上記移動台には、上記端子部に形成されている複数の電極端子に直接もしくは上記電極端子に取り付けられている端子ピンを介して接触して、上記複数の電極端子を同電位とする弾性を有する導電接触手段が設けられていることを特徴とする表示パネルの異常点灯防止装置。
【請求項２】
上記導電接触手段として、導電ゴムが用いられることを特徴とする請求項１に記載の表示パネルの異常点灯防止装置。
【請求項３】
上記導電接触手段が接地されていることを特徴とする請求項１または２に記載の表示パネルの異常点灯防止装置。
【請求項４】
上記パネル載置台には、バックライトが設けられていることを特徴とする請求項１ないし３のいずれか１項に記載の表示パネルの異常点灯防止装置。
【請求項５】
上記導電接触手段は、上記複数の電極端子もしくは上記複数の端子ピンに同時に接触することを特徴とする請求項１ないし４のいずれか１項に記載の表示パネルの異常点灯防止装置。
【発明の詳細な説明】
【技術分野】
【０００１】
本発明は、表示パネルの異常点灯防止装置に関し、さらに詳しく言えば、表示パネルに貼着されているフィルム材の剥離時に発生する静電気による異常点灯を防止する表示パネルの異常点灯防止装置に関するものである。
【背景技術】
【０００２】
表示パネルには、液晶表示パネル，有機ＥＬパネルおよびプラズマディスプレイなどがあるが、ここでは図３により液晶表示パネルについて説明する。
【０００３】
液晶表示パネル１は、それぞれ内面に例えばＩＴＯ材からなる表示電極（透明電極）が形成された一対の透明基板２，３を図示しない周辺シール材を介して貼り合わせて液晶セルとし、その液晶セル内に所定の液晶物質を封入することにより作製される。
【０００４】
通常の機種では、一方の透明基板（この例では、透明基板３側）に端子部４が側方に張り出すように連設され、この端子部４に上記表示電極に連なる複数の電極端子５が形成されている。なお、ＣＯＧ（Ｃｈｉｐ  Ｏｎ  Ｇｌａｓｓ）機種では、端子部４に液晶駆動用のベアチップなどのチップ部品が実装される。
【０００５】
この場合、透明基板３側の表示電極は、周辺シール材を潜る引き回し配線を介して端子部４上の所定の電極端子５と直接的に接続され、透明基板２側の表示電極は、周辺シール材に含まれている導電粒子などのトランスファ材を介して端子部４上の所定の電極端子５に接続される。
【０００６】
透明基板２，３の外表面には、光学フィルムとして例えば偏光膜６が貼着されるが、この種の光学フィルムは傷付きやすいため、ユーザーの手元に届くまでは、偏光膜６上に保護フィルム７を貼着するようにしている。
【０００７】
ところで、工場から製品を出荷する前の製品検査のひとつとして、実際の表示状態を検査する点灯検査や、偏光膜６などの光学フィルム表面に傷などの欠陥がないかどうかを検査する外観検査がある。
【０００８】
通常、保護フィルム７は無色透明であるが、保護フィルム７上に汚れや傷などがあると、外観検査で偏光膜などの光学フィルムの欠陥を見落とす危険性がある。
【０００９】
そこで、外観検査では、保護フィルム７を捲って剥離し、偏光膜６などを直接的に視認して、その不良の有無を検査するようにしている。
【発明の開示】
【発明が解決しようとする課題】
【００１０】
しかしながら、保護フィルム７を捲って剥離するときに剥離帯電が発生し、その剥離帯電による電圧が印加された表示電極は擬似的な点灯状態（異常点灯）となり、その異常点灯した部分は、外観検査の妨げになる。
【００１１】
そのため、従来では、剥離帯電による電荷が自然放電により消滅するのを待って外観検査を行うようにしているが、剥離帯電による電荷の自然放電には時間がかかるため、その分、検査時間が長くなり生産性向上の観点から好ましくない。
【００１２】
そこで、本発明の課題は、保護フィルムを捲って剥離するときに剥離帯電が生じたとしても、それによって異常点灯が生じないようにして、表示パネルの外観検査時間を短縮することにある。
【課題を解決するための手段】
【００１３】
上記課題を解決するため、本発明は、請求項１に記載されているように、表示パネルに貼着されているフィルム材の剥離時に発生する静電気による異常点灯を防止する表示パネルの異常点灯防止装置であって、上記表示パネルが載置されるパネル載置台と、上記パネル載置台に載置されている上記表示パネルの端子部に対して進退可能な移動台とを備え、上記移動台には、上記端子部に形成されている複数の電極端子に直接もしくは上記電極端子に取り付けられている端子ピンを介して接触して、上記複数の電極端子を同電位とする弾性を有する導電接触手段が設けられていることを特徴としている。
【００１４】
本発明において、請求項２に記載されているように、上記導電接触手段として、導電ゴムが用いられることが好ましい。
【００１５】
また、請求項３に記載されているように、上記導電接触手段が接地されていることがより好ましい。
【００１６】
また、請求項４に記載されているように、上記パネル載置台には、バックライトが設けられていることが好ましい。
【００１７】
また、請求項５に記載されているように、上記導電接触手段は、上記複数の電極端子もしくは上記複数の端子ピンに同時に接触することが好ましい。
【発明の効果】
【００１８】
本発明によれば、例えば偏光膜上に貼着されている保護フィルムを捲る前に、導電接触手段を端子部に形成されている複数の電極端子に直接もしくはその電極端子に取り付けられている端子ピンを介して接触させて、すべての電極端子を同電位とすることにより、保護フィルムの捲りにより剥離帯電が発生したとしても、液晶分子に電位差が生じないため、異常点灯の発生が防止され、外観検査を短時間ですませることができる。
【００１９】
この場合、導電接触手段として導電ゴムを用いることにより、電極端子もしくはその端子ピンに対して接触傷などを付けることなく、接触を確実なものとすることができる。
【００２０】
また、導電接触手段を接地に接続することにより、剥離帯電による電荷を素早く消滅させることができ、より確実に異常点灯を防止することができる。
【００２１】
また、パネル載置台にバックライトを設けて、その照明光をパネル載置台に載置されている表示パネルを反検査面側から照射することにより、検査面側の傷の有無などを容易に検査することができる。
【００２２】
また、導電接触手段を複数の電極端子もしくは上記複数の端子ピンに同時に接触させることにより、迅速かつ確実に、すべての電極端子を同電位とすることができる。
【発明を実施するための最良の形態】
【００２３】
次に、図１および図２により、本発明の実施形態について説明する。図１は本発明による表示パネルの異常点灯防止装置を示す模式的な側面図，図２は上記異常点灯防止装置の移動台をパネル載置台側から見た正面図である。
【００２４】
なお、この実施形態における被検査表示パネルは、先の図３で説明した液晶表示パネル１であるが、この場合、その端子部４には各電極端子５ごとに端子ピン９が取り付けられている。端子ピン９は、クリップ部９ａと、クリップ部９ａから引き出されたピン本体９ｂとを備え、ピン本体９ｂが端子部４を含む平面に対してほぼ直交するように、クリップ部９ａを介して端子部４に装着される。
【００２５】
図１に示すように、本発明による表示パネルの異常点灯防止装置は、液晶表示パネル１が載置されるパネル載置台１０と、パネル載置台１０に載置された液晶表示パネル１の端子部４に対して進退する移動台２０とを備えている。
【００２６】
この例において、パネル載置台１０は、液晶表示パネル１の反端子部４側を支持する第１の支持部材１１ａと、液晶表示パネル１の端子部４側を支持する第２の支持部材１１ｂと、端子ピン９のピン本体９ｂに沿って配置される側板１１ｃとを備えている。
【００２７】
好ましくは、第１の支持部材１１ａ，第２の支持部材１１ｂおよび側板１１ｃは、図示しない幕板によって一体的に連結され、第１の支持部材１１ａと第２の支持部材１１ｂとの間にバックライト１２が設けられる。
【００２８】
第１の支持部材１１ａと第２の支持部材１１ｂの各上端面に、負圧源と接続される負圧吸着孔（ともに図示しない）を設けて、保護フィルム７の剥離時に液晶表示パネル１を負圧吸着により固定することが好ましい。
【００２９】
なお、変形例として、側板１１ｃにて端子ピン９のクリップ部９ａを支持するようにようにして、第２の支持部材１１ｂを省略することもできる。すなわち、第１の支持部材１１ａと側板１１ｃとにより、液晶表示パネル１を支持するようにしてもよい。
【００３０】
図２を併せて参照して、移動台２０は、上記側板１１ｃと対向した位置に配置される基台２１にすべり案内手段２２を介して往復動可能に支持されている。その移動方向は、図１において左右方向（図２において紙面と直交する方向）であり、以下の説明で、パネル載置台１０側への移動方向を「前進」方向，パネル載置台１０から離れる方向を「後退」方向ということがある。
【００３１】
この例において、すべり案内手段２２には、移動台２０側に形成された案内キー２０ａと、基台２１側に形成された案内溝２１ａとの組み合わせが採用されているが、これ以外のすべり案内手段が用いられてもよい。
【００３２】
図示しないが、基台２１内には移動台２０の駆動手段が設けられている。移動台２０の駆動手段には、油圧シリンダもしくは空圧シリンダや、可逆回転可能なモータに連結された送りねじ軸などが用いられてよい。
【００３３】
移動台２０上には、回路基板２３が固定されている。回路基板２３には、移動台２０の移動に伴って、各端子ピン９のピン本体９ｂに対してほぼ同時に接触，離反し得る導電接触手段２４が取り付けられている。
【００３４】
導電接触手段２４に金属電極を用いてもよいが、この例では、接触の確実性の観点から、導電接触手段２４に板状の導電ゴム２４ａが用いられており、導電ゴム２４ａは押さえ部材２５により回路基板２３上に固定されている。
【００３５】
回路基板２３上には、導電ゴム２４ａと接触する図示しないグランドパターンが配線されており、グランドパターンはリード線２６を介して接地されている。すなわち、導電ゴム２４ａは上記グランドパターンおよびリード線２６を介して接地されている。
【００３６】
本発明の表示パネルの異常点灯防止装置によれば、次のようにして液晶表示パネル１の外観検査が行われる。
【００３７】
まず、各端子ピン９のピン本体９ｂが側板１１ｃに沿うようにして、液晶表示パネル１をパネル載置台１０上に載置して、好ましくは上記した負圧吸着により固定する。
【００３８】
次に、移動台２０を前進させて、導電ゴム２４ａを各端子ピン９のピン本体９ｂに押し付け、側板１１ｃと導電ゴム２４ａとの間で各端子ピンのピン本体９ｂを挟む。これにより、端子部４の各電極端子５は、端子ピン９，導電ゴム２４ａ，回路基板２３の上記グランドパターンおよびリード線２６を介して接地に落とされる。
【００３９】
しかるのち、図１に示すように、好ましくは保護フィルム７の端縁に接着（粘着）テープ８を貼り付け、接着テープ８をタブとして保護フィルム７を捲って偏光膜６から剥離する。
【００４０】
この剥離時に剥離帯電として静電気が発生するが、端子部４の各電極端子５は、上記したように、端子ピン９，導電ゴム２４ａ，回路基板２３の上記グランドパターンおよびリード線２６を介して接地されていることにより、異常点灯は発生しない。
【００４１】
したがって、保護フィルム７を剥離したのち、静電気の自然放電を待つことなく、即座に偏光膜６などに傷があるかどうかの外観検査（バックライト１２を点灯しての透過検査を含む）を行うことができる。
【００４２】
外観検査後は、保護フィルム７を貼り直したのち移動台２０を後退させるか、もしくは移動台２０を後退させたのち、保護フィルム７を貼り直す。
【００４３】
実際に、従来の外観検査時間と、本発明による外観検査時間とを対比したところ、本発明によれば、３０〜５０％程度の外観検査の効率向上が見られた。
【００４４】
以上、図１，２により、本発明の実施形態について説明したが、本発明はこれに限定されるものではない。例えば、異常点灯が発生しないようにするためには、各電極端子５が同電位とされればよく、したがって、導電ゴム２４ａ（導電接触手段２４）は、必ずしも接地されることを要しない。
【００４５】
また、回路基板２３を省略して、導電ゴム２４ａ（導電接触手段２４）を移動台２０上に直接的に設けてもよい。さらには、端子部４に端子ピン９が取り付けられていない機種の場合には、移動台２０を端子部４を含む平面に対して垂直となる方向に移動可能とし、導電ゴム２４ａ（導電接触手段２４）を各電極端子５に接触，離反させるようにしてもよい。
【００４６】
また、本発明の表示パネルの異常点灯防止装置は、液晶表示パネルのほかに、有機ＥＬパネルやプラズマディスプレイなどの外観検査にも適用可能である。
【図面の簡単な説明】
【００４７】
【図１】本発明による表示パネルの異常点灯防止装置を示す模式的な側面図。
【図２】上記異常点灯防止装置の移動台をパネル載置台側から見た正面図。
【図３】液晶表示パネルを示す斜視図。
【符号の説明】
【００４８】
１  液晶表示パネル
２，３  透明基板
４  端子部
５  電極端子
６  偏光膜
７  保護フィルム
９  端子ピン
９ａ  クリップ部
９ｂ  ピン本体
１０  パネル載置台
１１ａ，１１ｂ  支持部材
１１ｃ  側板
２０  移動台
２１  基台
２２  すべり案内手段
２３  回路基板
２４  導電接触手段
２４ａ  導電ゴム
【図１】
2009058710.tif 000003
【図２】
2009058710.tif 000004
【図３】
2009058710.tif 000005